(57)【要約】本発明の目的は、積層タイプの内部熱交換器の取付け工程数が削減でき、かつ、取り付けしやすく、省スペースである車両用空調装置を提供することである。本発明に係る車両用空調装置（１００）は、送風空気の通気流路を内部に有し、車室内（４）に配置されたケース（１）と、送風空気を形成する送風手段（２１）と、送風空気（３１）と熱交換を行うエバポレータ（１４）と、冷凍サイクル（１０）内の凝縮された高温高圧の冷媒と蒸発された低温低圧の冷媒との間で熱交換を行う内部熱交換器（１６）と、冷媒膨張手段とを備える車両用空調装置において、内部熱交換器（１６）が、高温高圧の冷媒を流す高圧側冷媒流路（６１）と低温低圧の冷媒を流す低圧側冷媒流路（６２）とを、交互に並列した積層構造を有し、ケース（１）内に収容され、かつ、エバポレータ（１４）とファイアウォール（２）で挟まれた領域Ｓ内に配置されている。
2012153610.tif 000002
【特許請求の範囲】
【請求項１】
送風空気の通気流路を内部に有し、車室内に配置されたケースと、
前記送風空気を形成する送風手段と、
前記送風空気と熱交換を行うエバポレータと、
冷凍サイクル内の凝縮された高温高圧の冷媒と蒸発された低温低圧の冷媒との間で熱交換を行う内部熱交換器と、
前記内部熱交換器と前記エバポレータとの間に配置される冷媒膨張手段とを備える車両用空調装置において、
前記内部熱交換器が、前記高温高圧の冷媒を流す高圧側冷媒流路と前記低温低圧の冷媒を流す低圧側冷媒流路とを、交互に並列した積層構造を有し、前記ケース内に収容され、かつ、前記エバポレータとファイアウォール又はトーボードとで挟まれた領域内に配置されていることを特徴とする車両用空調装置。
【請求項２】
前記内部熱交換器が、前記エバポレータを車両の前方向に投影した投影面内にあることを特徴とする請求項１に記載の車両用空調装置。
【請求項３】
前記ケースが、仕切り壁を有し、前記内部熱交換器が、前記仕切り壁を介して、前記通気流路とは隔離されたスペースに配置されていることを特徴とする請求項１又は２に記載の車両用空調装置。
【請求項４】
前記低圧側冷媒流路が、前記積層構造の最外側に位置することを特徴とする請求項１〜３のいずれか一つに記載の車両用空調装置。
【請求項５】
前記送風手段を、前記エバポレータの上方に配置してなり、
前記内部熱交換器が、前記送風手段から前記エバポレータへ通ずる通気流路の外に配置されていることを特徴とする請求項１〜４のいずれか一つに記載の車両用空調装置。
【請求項６】
前記送風手段を、前記エバポレータの車幅方向の右側又は左側に配置してなり、
前記仕切り壁が、前記送風空気の整流ガイドを兼ねていることを特徴とする請求項３に記載の車両用空調装置。
【請求項７】
前記送風手段を、前記エバポレータの車幅方向の右側又は左側に配置してなり、
前記冷媒膨張手段が、前記送風手段を配置した側とは、車幅方向に対して反対側に配置されていることを特徴とする請求項１〜４又は６のいずれか一つに記載の車両用空調装置。
【請求項８】
前記内部熱交換器と前記エバポレータとが、プレート若しくは配管のいずれか一方又は両方を介して接続されていることを特徴とする請求項１〜７のいずれか一つに記載の車両用空調装置。
【発明の詳細な説明】
【技術分野】
【０００１】
本発明は、車両用空調装置に関し、特に、内部熱交換器を備える車両用空調装置に関する。
【背景技術】
【０００２】
車両用空調装置は、一般に、少なくとも、気化状態の冷媒を圧縮して吐出するコンプレッサと、コンプレッサから吐出された冷媒を冷却し冷媒を凝縮するコンデンサと、コンデンサで凝縮した冷媒を絞り作用により気液混合体にする膨張弁と、膨張弁で気液混合体となった冷媒の蒸発熱により空気を冷却除湿するエバポレータとを含む冷凍サイクルを備える。さらに、冷凍サイクルの性能向上のために、コンデンサで凝縮された高温高圧の冷媒とエバポレータで蒸発された低温低圧の冷媒との間で熱交換を行う内部熱交換器を設けたものがある（例えば、特許文献１〜３を参照。）。特許文献１又は特許文献２には、高温高圧の冷媒を流す配管と低温低圧の冷媒を流す配管とが同心配置された二重管タイプの内部熱交換器が開示されている。また、特許文献３には、高温高圧の冷媒を流す通路と低温低圧の冷媒を流す通路と交互に形成した積層タイプの内部熱交換器が開示されている。
【先行技術文献】
【特許文献】
【０００３】
【特許文献１】特開２００８−１４９８１２号公報
【特許文献２】特開２００８−２０７６３０号公報
【特許文献３】特開２０１０−２５５９４５号公報
【発明の概要】
【発明が解決しようとする課題】
【０００４】
特許文献１又は２をはじめとする二重管タイプの内部熱交換器は、積層タイプの内部熱交換器と比較して、伝熱面積が小さいため、熱交換能力が低く、高い熱交換効果を得るためには、二重管を長くする必要があるという問題があった。このため、どこに設置しようとしても、特別なスペースが必要であるという問題があった。【０００５】
近年、車室内（乗員空間、キャビン）の拡大に伴って、エンジンルームが、縮小及び過密化される傾向にある。よって、二重管タイプの内部熱交換器よりも省スペースの積層タイプの内部熱交換器をエンジンルームに配置する場合であっても、スペースの確保が困難であった。さらに、積層タイプの内部熱交換器をエンジンルームに配置する場合には、ブラケットが必要となるため、コストが高くなり、更には、車両への組み付け工程が増加するという問題もあった。【０００６】
しかし、特許文献３をはじめとして積層タイプの内部熱交換器の構成は開示されているものの、この積層タイプの内部熱交換器を車両に対して、どのように配置するかということについての開示はない。【０００７】
本発明の目的は、積層タイプの内部熱交換器の取付け工程数が削減でき、かつ、取り付けしやすく、省スペースである車両用空調装置を提供することである。また、本発明の目的は、内部熱交換器の取付けに用いるブラケットを不要とし、コストの増加を抑えた車両用空調装置を提供することである。
【課題を解決するための手段】
【０００８】
本発明に係る車両用空調装置は、送風空気の通気流路を内部に有し、車室内に配置されたケースと、前記送風空気を形成する送風手段と、前記送風空気と熱交換を行うエバポレータと、冷凍サイクル内の凝縮された高温高圧の冷媒と蒸発された低温低圧の冷媒との間で熱交換を行う内部熱交換器と、前記内部熱交換器と前記エバポレータとの間に配置される冷媒膨張手段とを備える車両用空調装置において、前記内部熱交換器が、前記高温高圧の冷媒を流す高圧側冷媒流路と前記低温低圧の冷媒を流す低圧側冷媒流路とを、交互に並列した積層構造を有し、前記ケース内に収容され、かつ、前記エバポレータとファイアウォール又はトーボードで挟まれた領域内に配置されていることを特徴とする。【０００９】
本発明に係る車両用空調装置では、前記内部熱交換器が、前記エバポレータを車両の前方向に投影した投影面内にあることが好ましい。内部熱交換器を更に省スペースに配置することができる。【００１０】
本発明に係る車両用空調装置では、前記ケースが、仕切り壁を有し、前記内部熱交換器が、前記仕切り壁を介して、前記通気流路とは隔離されたスペースに配置されていることが好ましい。内部熱交換器の流動音の伝播を抑えることができる。また、内部熱交換器が、送風空気と接触しないため、熱交換の効率をより高め、かつ、内部熱交換器の表面で発生する結露水を少なくすることができる。【００１１】
本発明に係る車両用空調装置では、前記低圧側冷媒流路が、前記積層構造の最外側に位置することが好ましい。冷媒の流れ抵抗を少なくすることができる。【００１２】
本発明に係る車両用空調装置では、前記送風手段を、前記エバポレータの上方に配置してなり、前記内部熱交換器が、前記送風手段から前記エバポレータへ通ずる通気流路の外に配置されていることが好ましい。所謂フルセンタータイプの空調装置において、内部熱交換器が、送風空気と接触しないため、熱交換の効率をより高め、かつ、内部熱交換器の表面で発生する結露水を少なくすることができる。【００１３】
本発明に係る車両用空調装置では、前記送風手段を、前記エバポレータの車幅方向の右側又は左側に配置してなり、前記仕切り壁が、前記送風空気の整流ガイドを兼ねていることが好ましい。所謂セミセンタータイプの空調装置において、左右の吹出し口から吹出される風量のバランスを整えることができる。【００１４】
本発明に係る車両用空調装置では、前記送風手段を、前記エバポレータの車幅方向の右側又は左側に配置してなり、前記冷媒膨張手段が、前記送風手段を配置した側とは、車幅方向に対して反対側に配置されていることが好ましい。所謂セミセンタータイプの空調装置において、デッドスペースを有効に利用して、省スペース化を図ることができる。【００１５】
本発明に係る車両用空調装置では、前記内部熱交換器と前記エバポレータとが、プレート若しくは配管のいずれか一方又は両方を介して接続されていることが好ましい。内部熱交換器とエバポレータとの間にアキュムレータを設けないことで、ケースを小型化することができる。
【発明の効果】
【００１６】
本発明は、積層タイプの内部熱交換器の取付け工程数が削減でき、かつ、取り付けしやすく、省スペースである車両用空調装置を提供することができる。また、本発明は、内部熱交換器の取付けに用いるブラケットを不要とし、コストの増加を抑えた車両用空調装置を提供することができる。
【図面の簡単な説明】
【００１７】
【図１】本実施形態に係る車両用空調装置の冷凍サイクルを示す概略図である。
【図２】内部熱交換器の配置例を示す模式図である。
【図３】積層タイプの内部熱交換器の一例を示す概略図であり、（ａ）は斜視図、（ｂ）は（ａ）のＡ−Ａ破断面図である。
【図４】積層タイプの内部熱交換器の別の例を示す概略図であり、（ａ）は正面図、（ｂ）は（ａ）のＢ−Ｂ破断面図である。
【図５】セミセンタータイプの車両用空調装置における内部熱交換器の配置例を示す概略図である。
【図６】フルセンタータイプの車両用空調装置における内部熱交換器の配置例を示す概略図であり、（ａ）は内部熱交換器を下段に配置した形態、（ｂ）は内部熱交換器を中段に配置した形態を示す。
【発明を実施するための形態】
【００１８】
以下、添付の図面を参照して本発明の一態様を説明する。以下に説明する実施形態は本発明の実施例であり、本発明は、以下の実施形態に制限されるものではない。なお、本明細書及び図面において符号が同じ構成要素は、相互に同一のものを示すものとする。本発明の効果を奏する限り、種々の形態変更をしてもよい。
【００１９】
図１は、本実施形態に係る車両用空調装置の冷凍サイクルを示す概略図である。図２は、内部熱交換器の配置例を示す模式図である。図３は、積層タイプの内部熱交換器の一例を示す概略図であり、（ａ）は斜視図、（ｂ）は（ａ）のＡ−Ａ破断面図である。本実施形態に係る車両用空調装置１００は、図１及び図２に示すように、送風空気の通気流路を内部に有し、車室内４に配置されたケース１と、送風空気を形成する送風手段２１と、送風空気３１と熱交換を行うエバポレータ１４と、冷凍サイクル１０内の凝縮された高温高圧の冷媒と蒸発された低温低圧の冷媒との間で熱交換を行う内部熱交換器１６とを備える車両用空調装置において、内部熱交換器１６が、図３（ａ）及び図３（ｂ）に示すように、高温高圧の冷媒を流す高圧側冷媒流路６１と低温低圧の冷媒を流す低圧側冷媒流路６２とを、交互に並列した積層構造を有し、図２に示すように、ケース１内に収容され、かつ、エバポレータ１４とファイアウォール２で挟まれた領域Ｓ内に配置されている。
【００２０】
ケース１は、図２に示すように、送風空気の通気流路３０を内部に有し、該通気流路３０にフィルタ（不図示）と、エバポレータ１４と、必要に応じて配置されるヒーターコア（不図示）とを配置して、車室内に温度調節した送風空気を送るためＨＶＡＣ（Ｈｅａｔｉｎｇ，Ｖｅｎｔｉｌａｔｉｏｎ，ａｎｄ  Ａｉｒ‐Ｃｏｎｄｉｔｉｏｎｉｎｇ）のケースとなるものである。送風手段２１は、駆動用モータ（不図示）の駆動によってファン（不図示）が回転することで、通気流路中の空気流れ３１を形成する。すなわち、ファンが回動すると、インテークドア（不図示）の切り替えによって外気、内気又は内外気混合空気が通気流路に取り込まれて空気を吸気する。すると、送風空気が、フィルタ（不図示）を通過して浄化され、その後エバポレータ１４を通過して冷却及び除湿される。エバポレータ１４を通過した空気流れは、エアミックスドア（不図示）の切り替えによって、ヒーターコア（不図示）を通過しない空気流れ又はヒーターコアを通過する空気流れに分けられる。ヒーターコアを通過しない空気流れは冷風であり、ヒーターコアを通過する空気流れは温風である。エアミックスドアの開閉角度によって、ヒーターコアを通過する空気流れとヒーターコアを通過しない空気流れとの空気量を調整し、後に混合されることで空気の温度を調節することができる。合流した空気流れは、ケースに取り付けられたダクト（不図示）を通じて、デフロスタ、ベント、サイドベント又はフットの吹出口から車室内へ送風される。なお、いずれの吹出口から送風するかの選択は、乗員の要求、車室内の温度分布などに応じて適宜選択可能である。
【００２１】
ファイアウォール２は、エンジンルーム３と車室内４とを区画する。
【００２２】
冷凍サイクル１０は、図１に示すように、少なくとも、コンプレッサ１１と、コンデンサ１２と、レシーバ１５と、冷媒膨張手段たる膨張弁１３と、エバポレータ１４と、内部熱交換器１６とを構成要素として含む。各構成要素は、配管で接続されている。冷凍サイクル１０では、コンプレッサ１１、コンデンサ１２、レシーバ１５、内部熱交換器１６、膨張弁１３、内部熱交換器１６、コンプレッサ１１の順に冷媒が循環する。なお、図１及び図２において、白矢印５は高温高圧の冷媒が流れる方向を示し、黒矢印６は、低温低圧の冷媒が流れる方向を示している。本実施形態では、冷凍サイクル１０の構成要素のうち、膨張弁１３と、エバポレータ１４と、内部熱交換器１６とが、車室内４で、かつ、ケース１内に配置される。また、コンプレッサ１１と、コンデンサ１２と、レシーバ１５とは、車室外（図１では、エンジンルーム３）に配置されていることが好ましい。
【００２３】
コンプレッサ１１は、エンジンからの駆動力を受けて、又は電力によって駆動するモータの駆動力を受けて、低温低圧の気化状態の冷媒を圧縮して、高温高圧の気化状態の冷媒にするものである。
【００２４】
コンデンサ１２は、コンプレッサ１１から吐出された高温高圧の気化状態の冷媒を、空冷によって凝縮させて、高温高圧の液化状態の冷媒にする熱交換器である。
【００２５】
レシーバ１５は、コンデンサ１２の出口に接続されて、コンデンサ１２で凝縮された冷媒を、気化状態の冷媒と液化状態の冷媒とに分離して、液化状態の冷媒だけを内部熱交換器１６を介して、膨張弁１３に送るためのものである。
【００２６】
膨張弁１３は、コンデンサ１２で凝縮され、レシーバ１５で気液分離された高温高圧の液化状態の冷媒を、絞り作用によって減圧し膨張させて、低温低圧の気液混合状態の冷媒とすると同時に、冷媒の流量の調整を行うものである。
【００２７】
エバポレータ１４は、膨張弁１３で気液混合体となった冷媒を気化させ、冷媒が気化するときの蒸発熱によってエバポレータ１４を通過する送風空気を冷却除湿する。
【００２８】
内部熱交換器１６ａは、図３（ｂ）に示すように、高温高圧の冷媒を流す高圧側冷媒流路６１と低温低圧の冷媒を流す低圧側冷媒流路６２とを、交互に並列した積層構造を有する、所謂積層タイプの内部熱交換器である。図３（ａ）及び図３（ｂ）に示す積層タイプの内部熱交換器１６ａは、所定形状にプレス成形されたプレート６０をその厚さ方向に複数枚積層した構造を有し、プレートタイプとも呼ばれる。プレートタイプの内部熱交換器１６ａは、高圧側冷媒流路６１を流通する冷媒と低圧側冷媒流路６２を流通する冷媒とを、プレート６０に伝わる熱によって熱交換する。そして、熱交換によって、冷凍サイクル１０の冷凍能力を向上するものである。
【００２９】
本実施形態に係る車両用空調装置１００では、低圧側冷媒流路６２が、積層構造の最外側に位置することが好ましい。同じ冷媒質量であれば、高温高圧の冷媒の体積よりも、低温低圧の冷媒の体積の方が大きい。よって、同じ断面積を持つ冷媒流路にそれぞれの状態の冷媒を流すと、低温低圧の方が流路内の通過流速が早くなり、通路抵抗を受けやすくなる。そこで、高圧側冷媒流路６１と低圧側冷媒流路６２とが交互に並列した積層構造を有する内部熱交換器１６ａでは、低圧側冷媒流路６２を積層構造の最外側に位置することによって、低圧側冷媒流路６２の流路断面積の総和を高圧側冷媒流路６１の流路断面積の総和よりも大きくすることができるので、低温低圧の冷媒の流れ抵抗を少なくすることができる。また、内部熱交換器１６ａの表面で発生する結露水を少なくすることができる。なお、図３（ａ）及び図３（ｂ）では、プレート６０を６枚積層して、内部に高圧側冷媒流路６１を２本、低圧側冷媒流路６２を３本の合計５本の流路を形成した例を示したが、本発明は、積層するプレート６０又は流路６１，６２の数に制限されない。
【００３０】
図４は、積層タイプの内部熱交換器の別の例を示す概略図であり、（ａ）は正面図、（ｂ）は（ａ）のＢ−Ｂ破断面図である。図４（ａ）及び図４（ｂ）に示す積層タイプの内部熱交換器１６ｂは、１本の扁平チューブ６３に複数の流路を設け、その扁平チューブ６３をその厚さ方向に複数重ねて積層した構造を有し、チューブタイプとも呼ばれる。チューブタイプの内部熱交換器１６ｂは、図４（ｂ）に示すように、高圧側冷媒流路６１を設けた扁平チューブ６３ａと低圧側冷媒流路６２を設けた扁平チューブ６３ｂとが、交互に並列している。チューブタイプの内部熱交換器１６ｂは、扁平チューブ６３に伝わる熱によって熱交換する以外は、プレートタイプの内部熱交換器１６ａと同様に作用する。また、チューブタイプの内部熱交換器１６ｂにおいても、プレートタイプの内部熱交換器１６ａと同様に、低圧側冷媒流路６２が、積層構造の最外側に位置することが好ましい。なお、図４（ａ）及び図４（ｂ）では、扁平チューブ６３を７本積層し、扁平チューブ６３の１本当たりに設ける流路の数を７つとした例を示したが、本発明は、積層するチューブ６３又は流路６１，６２の数に制限されない。
【００３１】
図２を参照して、内部熱交換器１６の配置を説明する。内部熱交換器１６は、ケース１内に収容され、かつ、エバポレータ１４とファイアウォール２とで挟まれた領域Ｓ内に配置されている。エバポレータ１４とファイアウォール２で挟まれた領域Ｓは、ケース１の内部空間のうち、エバポレータ１４よりも車両の前方に位置する空間である。内部熱交換器１６をケース１内に配置することで、内部熱交換器１６がＨＶＡＣと一体化し、取付け工程数が削減でき、かつ、取り付けしやすく、省スペースに内部熱交換器１６を配置することができる。さらに、内部熱交換器１６をエバポレータ１４とファイアウォール２とで挟まれた領域Ｓ内に配置することで、従来のＨＶＡＣの基本構成に影響を与えずに、内部熱交換器１６を配置することができる。本実施形態に係る車両用空調装置１００では、内部熱交換器１６が、エバポレータ１４を車両の前方向に投影した投影面Ｓ１内にあることが好ましい。エバポレータ１４を車両の前方向に投影した投影面Ｓ１内にあるとは、エバポレータ１４を車両の後方向から前方向に向かって映し出したときに、エバポレータ１４の陰になる領域にあることをいう。内部熱交換器１６を、エバポレータ１４を車両の前方向に投影した投影面Ｓ１内に配置することで、内部熱交換器１６を更に省スペースに配置することができる。さらに、膨張弁１３又はエバポレータ１４と内部熱交換器１６との間の配管を短くすることができる。また、エバポレータ１４を正面視したときに、内部熱交換器１６が、エバポレータ１４の外形から突出しないため、ケース１に不要な突出部分を設けなくてすむ。そして、ケース１自体をコンパクトにすることができる。
【００３２】
図２に示すように、内部熱交換器１６の高圧側冷媒流路の出口６１ｂと内部熱交換器１６の低圧側冷媒流路の入口６２ａとは隣接し、内部熱交換器１６の高圧側冷媒流路の出口６１ｂには、プレート（不図示）又は配管（不図示）を介して、膨張弁１３が接続され、内部熱交換器１６の低圧側冷媒流路の入口６２ａには、プレート（不図示）又は配管（不図示）を介して、エバポレータ１４が接続されている。他方、内部熱交換器１６の高圧側冷媒流路の入口６１ａと内部熱交換器１６の低圧側冷媒流路の出口６２ｂとは隣接し、内部熱交換器１６の高圧側冷媒流路の入口６１ａには、プレート（不図示）又は配管７を介して、レシーバ１５が接続され（図１を参照。）、内部熱交換器１６の低圧側冷媒流路の出口６２ｂには、プレート（不図示）又は配管８を介して、コンプレッサ１１が接続されている（図１を参照。）。
【００３３】
図５は、セミセンタータイプの車両用空調装置における内部熱交換器の配置例を示す概略図である。図５に示す車両用空調装置２００は、送風手段２１をエバポレータ１４の車幅方向の左側に配置した、所謂セミセンタータイプの車両用空調装置である。なお、図５では、送風手段２１をエバポレータ１４の車幅方向の左側に配置した形態を示したが、これに限定されず、送風手段２１をエバポレータ１４の車幅方向の右側に配置した形態としてもよい。
【００３４】
図５に示すとおり、本実施形態に係る車両用空調装置２００では、ケース１が、仕切り壁４１を有し、内部熱交換器１６が、仕切り壁４１を介して、通気流路３０とは隔離されたスペース４０に配置されていることが好ましい。内部熱交換器１６の流動音の伝播を抑えることができる。また、内部熱交換器１６が、送風空気３１と接触しないため、熱交換の効率をより高め、かつ、内部熱交換器１６の表面で発生する結露水を少なくすることができる。発生する結露水が少ない方が、排水経路の設計が容易である。さらに、膨張弁１３が、通気流路３０と隔離されたスペース４０に配置されていることが好ましい。膨張弁１３から発生する音の伝播を抑えることができる。また、仕切り壁４１の一部に、発生した結露水を排水するための排水口４２を設けることが好ましい。排水口４２は、車両の下方に設けることが好ましい。
【００３５】
セミセンタータイプの車両用空調装置２００では、仕切り壁４１が、送風空気３１の整流ガイドを兼ねていることが好ましい。整流ガイドとしての仕切り壁４１の形態は、例えば、図５に示すように、送風手段２１から遠くなるほど、仕切り壁４１とエバポレータ１４との距離が短くなるように、段差４１ａを設けて調整する形態である。このように段差４１ａを設けることで、送風手段２１から遠くなるほど、通気流路３０が狭くなるため、エバポレータ１４を通過する送風空気３１の風速を均一化して、左右の吹出し口から吹出される風量のバランスを整えることができる。従来、整流ガイドを設けることで発生していたスペース４０は、デッドスペースとなっていたが、そのスペース４０へ内部熱交換器１６を配置することで、スペースの有効活用が可能となる。
【００３６】
セミセンタータイプの車両用空調装置２００では、膨張弁１３が、送風手段２１を配置した側とは、車幅方向に対して反対側に配置されていることが好ましい。図５では、送風手段２１を車幅方向に対して左側に配置し、膨張弁１３を車幅方向に対して右側に配置している。図示しないが、送風手段２１を車幅方向に対して右側に配置した場合には、膨張弁１３は車幅方向に対して左側に配置する。膨張弁１３を、送風手段２１を配置した側と、車幅方向に対して同じ側に配置する形態（不図示）では、膨張弁１３が、送風空気３１の流れを阻害しないように配置しようとすると、ケース１に不要な突出部分を形成せざるを得なくなる。これに対して、図５のように、膨張弁１３を、送風手段２１を配置した側とは、車幅方向に対して反対側に配置することで、デッドスペースを有効に利用して、省スペース化を図ることができる。
【００３７】
図６は、フルセンタータイプの車両用空調装置における内部熱交換器の配置例を示す概略図であり、（ａ）は内部熱交換器を下段に配置した形態、（ｂ）は内部熱交換器を中段に配置した形態を示す。図６（ａ）又は図６（ｂ）に示した車両用空調装置３００ａ，３００ｂは、送風手段２１をエバポレータ１４の上方に配置した、所謂フルセンタータイプの車両用空調装置である。フルセンタータイプの車両用空調装置３００ａ，３００ｂについても、セミセンタータイプの車両用空調装置２００と同様に、ケース１が、仕切り壁４１を有し、内部熱交換器１６が、仕切り壁４１を介して、通気流路３０とは隔離されたスペース４０に配置されていることが好ましい。内部熱交換器１６が、送風空気３１と接触しないため、熱交換の効率をより高め、かつ、内部熱交換器の表面で発生する結露水を少なくすることができる。
【００３８】
フルセンタータイプの車両用空調装置３００ａ，３００ｂでは、内部熱交換器１６が、送風手段２１からエバポレータ１４へ通ずる通気流路３０の外に配置されていることが好ましい。このように配置することで、送風空気の流れが、阻害されない。また、送風空気が内部熱交換器１６に接触して騒音が発生するのを防止することができる。なお、内部熱交換器１６の配置例として、図６（ａ）に内部熱交換器を下段に配置した形態又は図６（ｂ）に内部熱交換器を中段に配置した形態を示したが、本発明はこれらに限定されない。
【００３９】
従来の車両用空調装置では、エバポレータと内部熱交換器との間に、アキュムレータを接続したものが知られている（例えば、特許文献２、段落０００３を参照。）。本実施形態に係る車両用空調装置１００では、図２に示すように、アキュムレータを設けず、エバポレータ１４と内部熱交換器１６とが、配管９を介して接続されていることが好ましい。また、他形態例として、図５に示すように、エバポレータ１４と内部熱交換器１６とが、プレート１９を介して接続されていてもよい。プレート１９の内部には、配管９に相当する流路１９ａが設けられている。さらに、エバポレータ１４と内部熱交換器１６とは、配管９及びプレート１９を介して接続されていてもよい（不図示）。このように構成することで、エバポレータ１４と内部熱交換器１６とを、より接近させることができ、ケース１を更に小型化することができる。
【００４０】
ここまで、エンジンルーム３が車両の前方に配置されていることを前提に説明してきたが、本発明は、所謂リアエンジン車のようにエンジンルーム３が車両後方に配置された車両にも適用することができる。この場合、車両前方には、ウォッシャータンクなどが収納される機器収納室（不図示）が配置され、機器収納室と車室内４とは、トーボード（不図示）によって区画される。そして、内部熱交換器１６は、車室内４に配置されたケース１内で、かつ、エバポレータ１４とトーボードとで挟まれた領域内に配置される。これによって、内部熱交換器１６を機器収納室の内部に新たに配置することなく、車両に取り付けることができる。
【００４１】
さらに、本発明は、エンジンを備えず、電力によって駆動する車両にも適用することができる。電力によって駆動する車両では、車両の前方に配置される機器収納室と車室内４とは、トーボードで区画され、内部熱交換器１６は、車室内４に配置されたケース１内で、かつ、エバポレータ１４とトーボードとで挟まれた領域内に配置される。これによって、内部熱交換器１６を機器収納室の内部に新たに配置することなく、車両に取り付けることができる。
【符号の説明】
【００４２】
１  ケース
２  ファイアウォール
３  エンジンルーム
４  車室内
５  高温高圧の冷媒が流れる方向
６  低温低圧の冷媒が流れる方向
７，８，９  配管
１０  冷凍サイクル
１１  コンプレッサ
１２  コンデンサ
１３  膨張弁
１４  エバポレータ
１５  レシーバ
１６，１６ａ，１６ｂ  内部熱交換器
１９  プレート
１９ａ  流路
２１  送風手段
３０  通気流路
３１  送風空気
４０  スペース
４１  仕切り壁
４１ａ  段差
４２  排水口
６０  プレート
６１  高圧側冷媒流路
６２  低圧側冷媒流路
６３，６３ａ，６３ｂ  扁平チューブ
６１ａ  高圧側冷媒流路の入口
６１ｂ  高圧側冷媒流路の出口
６２ａ  低圧側冷媒流路の入口
６２ｂ  低圧側冷媒流路の出口
１００，２００，３００ａ，３００ｂ  車両用空調装置
【図１】
2012153610.tif 000003
【図２】
2012153610.tif 000004
【図３】
2012153610.tif 000005
【図４】
2012153610.tif 000006
【図５】
2012153610.tif 000007
【図６】
2012153610.tif 000008
【国際調査報告】
2012153610.tif 000009
2012153610.tif 000010
2012153610.tif 000011
2012153610.tif 000012